(57)【要約】【課題】処理負担を増加させることなくシフト周波数を変更させることができる受信回路、送信回路、無線送受信回路及び周波数変換方法を提供すること【解決手段】本発明にかかる受信回路１００は、無線通信により入力される入力信号の無線周波数を中間周波数に変換するミキサ６０と、中間周波数に変換された入力信号における所定の周波数帯域の信号を通過させる可変フィルタ７０と、を備える。ミキサ６０は、入力信号の無線周波数の変化に応じて可変フィルタ７０へ出力する入力信号の中間周波数を変化させ、可変フィルタ７０は、ミキサ６０から出力される入力信号の中間周波数に応じて、通過させる入力信号の通過帯域を変化させるものである。【選択図】図１
2012249136.tif 000002
【特許請求の範囲】
【請求項１】
無線通信により入力される入力信号の無線周波数を中間周波数に変換する第１のミキサと、
前記中間周波数に変換された前記入力信号における所定の周波数帯域の信号を通過させる第１の可変フィルタと、を備え、
前記第１のミキサは、
前記入力信号の無線周波数の変化に応じて前記第１の可変フィルタへ出力する前記入力信号の中間周波数を変化させ、
前記第１の可変フィルタは、
前記第１のミキサから出力される前記入力信号の中間周波数に応じて、通過させる前記入力信号の通過帯域を変化させる、受信回路。
【請求項２】
前記第１の可変フィルタを通過した前記入力信号の中間周波数を予め定められた固定中間周波数に変換する第２のミキサと、
前記第１のミキサから出力される前記入力信号の中間周波数に応じて前記第２のミキサへ出力する参照信号の周波数を決定する発振器と、をさらに備え、
前記第１の可変フィルタは、
前記発振器から出力される参照信号の周波数の変化に応じて、前記通過させる前記入力信号の通過帯域を変化させる、請求項１記載の受信回路。
【請求項３】
前記発振器は、
前記入力信号の中間周波数に基づいて定まる電圧を印加されることにより前記参照信号の周波数を決定し、
前記第１の可変フィルタは、
前記発振器に印加される電圧に基づいて、前記通過させる前記入力信号の通過帯域を変化させる、請求項２記載の受信回路。
【請求項４】
無線通信により出力される出力信号の中間周波数を無線周波数に変換する第３のミキサと、
予め定められた固定周波数の出力信号を前記中間周波数へ変換する第４のミキサと、
前記中間周波数に変換された前記出力信号の所定の周波数帯域の信号を通過させる第２の可変フィルタと、を備え、
前記第４のミキサは、
前記出力信号の無線周波数の変化に応じて前記第２の可変フィルタへ出力する前記出力信号の中間周波数を変化させ、
前記第２の可変フィルタは、
前記第４のミキサから出力される前記出力信号の中間周波数に応じて、通過させる前記出力信号の通過帯域を変化させる、送信回路。
【請求項５】
前記第３のミキサから出力される前記出力信号の無線周波数の変化に応じて前記第４のミキサへ出力する参照信号の周波数を決定する発振器と、をさらに備え、
前記第２の可変フィルタは、
前記発振器から出力される参照信号の周波数の変化に応じて、前記通過させる前記出力信号の通過帯域を変化させる、請求項４記載の送信回路。
【請求項６】
前記発振器は、
前記出力信号の無線周波数に基づいて定まる電圧を印加されることにより前記参照信号の周波数を決定し、
前記第２の可変フィルタは、
前記発振器に印加される電圧に基づいて、前記通過させる前記出力信号の通過帯域を決定する、請求項５記載の受信回路。
【請求項７】
固定的に定められた第１の無線周波数の出力信号を送信する送信回路と、
対向装置に応じて変化する第２の無線周波数の入力信号を受信する受信回路と、を備え、
前記受信回路は、
無線通信により入力される前記入力信号の前記第２の無線周波数を中間周波数に変換する第１のミキサと、
前記中間周波数に変換された前記入力信号の所定の周波数帯域の信号を通過させる第１の可変フィルタと、を有し、
前記第１のミキサは、
前記入力信号の無線周波数の変化に応じて前記第１の可変フィルタへ出力する前記入力信号の中間周波数を変化させ、
前記第１の可変フィルタは、
前記ミキサから出力される前記入力信号の中間周波数に応じて、通過させる前記入力信号の通過帯域を変化させる、無線送受信回路。
【請求項８】
固定的に定められた第３の無線周波数の入力信号を受信する受信回路と、
対向装置に応じて変化する第４の無線周波数の出力信号を送信する送信回路と、を備え、
前記送信回路は、
無線通信により出力される出力信号の中間周波数を前記第４の無線周波数に変換する第３のミキサと、
予め定められた固定周波数の出力信号を前記中間周波数へ変換する第４のミキサと、
前記中間周波数に変換された前記出力信号における所定の周波数帯域の信号を通過させる第２の可変フィルタと、を備え、
前記第４のミキサは、
前記出力信号の無線周波数の変化に応じて前記第２の可変フィルタへ出力する前記出力信号の中間周波数を変化させ、
前記第２の可変フィルタは、
前記第４のミキサから出力される前記出力信号の中間周波数に応じて、通過させる前記出力信号の通過帯域を変化させる、無線送受信回路。
【請求項９】
無線通信により入力される入力信号の無線周波数の変化に応じて出力する前記入力信号の中間周波数を変化させ、
前記入力信号の中間周波数の変化に応じて、可変フィルタの通過帯域を変化させ、
前記可変フィルタの通過帯域に基づいて、前記入力信号を通過させる、周波数変換方法。
【発明の詳細な説明】
【技術分野】
【０００１】
本発明はシフト周波数が変化する無線信号を受信し、無線信号の周波数を中間周波数に変換して信号処理する受信回路に関する。
【背景技術】
【０００２】
無線通信に使用することができる送信周波数、受信周波数及びシフト周波数は、予め定められている。ここで、シフト周波数は、送信周波数と受信周波数との差を示す。しかし、送信周波数、受信周波数及びシフト周波数の値は、国や地域ごとに異なる値が定められている。そのため、無線通信に用いられる無線送受信装置は、国や地域ごとに異なる送信周波数又は受信周波数の信号を送受信することが要求されている。
【０００３】
特許文献１には、シフト周波数を変更させることにより、異なる送信周波数又は受信周波数の信号を送受信することができる送受信周波数変換器が開示されている。特許文献１の送受信周波数変換器は、ＲＦ（Radio Frequency）帯における発振器を２個用いている。これにより、送信局部発振周波数及び受信局部発振周波数を個別に制御し、シフト周波数を変更させることができる。
【０００４】
特許文献２及び３には、ＲＦ帯の発振器を１個用いており、さらに、ＲＦ帯の無線周波数信号の通過帯域幅を制御するフィルタを用いて妨害波を除去することができる無線通信装置が開示されている。
【先行技術文献】
【特許文献】
【０００５】
【特許文献１】特開平０６−６１７４４号公報
【特許文献２】特開２００６−１８６９５６号公報
【特許文献３】特開２００６−２６２４３４号公報
【発明の概要】
【発明が解決しようとする課題】
【０００６】
しかし、特許文献１の送受信周波数変換器は、ＲＦ帯の発振器を２個用いているため、装置が高価になるという問題がある。また、特許文献２及び３の無線通信装置は、ＲＦ帯の発振器は１個であるため、特許文献１の送受信周波数変換器と比較して、装置は安価となる。しかし、特許文献２及び３の無線通信装置は、ＲＦ帯における無線周波数信号の妨害波を除去するフィルタが備えられている。そのため、フィルタは、ＲＦ帯に用いられる高周波信号での処理が要求されるため、処理負担が増加するという問題がある。
【０００７】
本発明はこのような問題を解決するために、処理負担を増加させることなくシフト周波数を変更させることができる受信回路、送信回路、無線送受信回路及び周波数変換方法を提供することを目的とする。
【課題を解決するための手段】
【０００８】
本発明の第１の態様にかかる受信回路は、無線通信により入力される入力信号の無線周波数を中間周波数に変換する第１のミキサと、前記中間周波数に変換された前記入力信号における所定の周波数帯域の信号を通過させる第１の可変フィルタと、を備え、前記第１のミキサは、前記入力信号の無線周波数の変化に応じて前記第１の可変フィルタへ出力する前記入力信号の中間周波数を変化させ、前記第１の可変フィルタは、前記第１のミキサから出力される前記入力信号の中間周波数に応じて、通過させる前記入力信号の通過帯域を変化させるものである。
【０００９】
本発明の第２の態様にかかる送信回路は、無線通信により出力される出力信号の中間周波数を無線周波数に変換する第３のミキサと、予め定められた固定周波数の出力信号を前記中間周波数へ変換する第４のミキサと、前記中間周波数に変換された前記出力信号の所定の周波数帯域の信号を通過させる第２の可変フィルタと、を備え、前記第４のミキサは、前記出力信号の無線周波数の変化に応じて前記第２の可変フィルタへ出力する前記出力信号の中間周波数を変化させ、前記第２の可変フィルタは、前記第４のミキサから出力される前記出力信号の中間周波数に応じて、通過させる前記出力信号の通過帯域を変化させるものである。
【００１０】
本発明の第３の態様にかかる無線送受信回路は、固定的に定められた第１の無線周波数の出力信号を送信する送信回路と、対向装置に応じて変化する第２の無線周波数の入力信号を受信する受信回路と、を備え、前記受信回路は、無線通信により入力される前記入力信号の前記第２の無線周波数を中間周波数に変換する第１のミキサと、前記中間周波数に変換された前記入力信号の所定の周波数帯域の信号を通過させる第１の可変フィルタと、を有し、前記第１のミキサは、前記入力信号の無線周波数の変化に応じて前記第１の可変フィルタへ出力する前記入力信号の中間周波数を変化させ、前記第１の可変フィルタは、前記ミキサから出力される前記入力信号の中間周波数に応じて、通過させる前記入力信号の通過帯域を変化させるものである。
【００１１】
本発明の第４の態様にかかる周波数変換方法は、無線通信により入力される入力信号の無線周波数の変化に応じて出力する前記入力信号の中間周波数を変化させ、前記入力信号の中間周波数の変化に応じて、可変フィルタの通過帯域を変化させ、前記可変フィルタの通過帯域に基づいて、前記入力信号を通過させるものである。
【発明の効果】
【００１２】
本発明により、処理負担を増加させることなくシフト周波数を変更させることができる受信回路、送信回路、無線送受信回路及び周波数変換方法を提供することができる。
【図面の簡単な説明】
【００１３】
【図１】実施の形態１にかかる受信回路の構成図である。
【図２】実施の形態１にかかる無線送受信装置の構成図である。
【図３】実施の形態１にかかるミキサにおける周波数変換を示す図である。
【図４】実施の形態１にかかるＶＣＯ及び可変フィルタを制御する回路の構成図である。
【図５】実施の形態１にかかる受信回路の信号処理のフローチャートである。
【図６】実施の形態２にかかる無線送受信装置の構成図である。
【図７】その他の実施の形態にかかる可変フィルタの構成図である。
【発明を実施するための形態】
【００１４】
（実施の形態１）
以下、図面を参照して本発明の実施の形態について説明する。図１を用いて本発明の実施の形態１にかかる受信回路１００の構成例について説明する。受信回路１００は、ミキサ６０と、可変フィルタ７０と、を備えている。
【００１５】
受信回路１００は、例えば移動通信装置に備えられていてもよく、基地局装置に備えられていてもよい。もしくは、受信回路１００は、基地局装置間のデータの中継を行う中継装置に備えられていてもよい。もしくは、受信回路１００は、ＬＡＮ回線を構成する中継装置に備えられていてもよい。
【００１６】
ミキサ６０は、無線通信により入力される入力信号の無線周波数を中間周波数に変換する。無線通信とは、例えば、移動通信装置と基地局装置との間において、予め定められている無線規格に基づいて実行される通信である。もしくは、無線通信は、移動通信装置間において、予め定められている無線規格に基づいて実行される通信であってもよい。無線周波数とは、無線規格において定められている周波数であり、無線信号を送受信する際に用いられる周波数である。中間周波数は、装置内もしくは回路において信号を処理する際に用いられる周波数として定められる周波数である。入力信号とは、対向装置から送信される信号であり、ユーザデータが設定されたデータ信号や、制御信号等であってもよい。
【００１７】
ミキサ６０は、入力信号の無線周波数の変化に応じて、可変フィルタ７０へ出力する入力信号の中間周波数を変化させる。受信回路１００は、装置が用いられる地域や、用いられる無線規格に応じて、様々な無線周波数が設定された入力信号を受け取る。そのため、ミキサ６０に入力される入力信号の無線周波数が変化すると、ミキサ６０から出力される信号の中間周波数も異なる値となる。ミキサ６０は、例えば、入力信号に設定されている数ＧＨｚの無線周波数を、数ＭＨｚの中間周波数に変換する。
【００１８】
可変フィルタ７０は、中間周波数に変換された入力信号における所定の周波数帯域の信号を通過させる。可変フィルタ７０は、通過帯域の上限値及び下限値の少なくとも一方を変化させる。可変フィルタ７０は、ミキサ６０から出力される信号の中間周波数に応じて、所定の周波数帯域の信号を抽出するために、もしくは、所定の周波数帯域以外の信号を除外するために、ミキサ６０から出力される信号の通過帯域を変化させる。
【００１９】
以上説明したように、図１における受信回路１００を用いることにより、ミキサ６０は、入力信号の無線周波数に応じて中間周波数を変化させた信号を可変フィルタ７０へ出力することができる。さらに、可変フィルタ７０は、ミキサ６０から出力される中間周波数信号の周波数に応じて中間周波数信号の通過帯域を変化させることができる。このため、受信回路１００は、入力信号の周波数が変化した場合においても、所定の周波数帯の信号を抽出することができる。また、可変フィルタ７０は、中間周波数信号の信号処理を実行するため、無線周波数信号の信号処理を実行することと比較して、処理負担が減少する。
【００２０】
続いて、図２を用いて本発明の実施の形態１にかかる無線送受信装置５０の詳細な構成例について説明する。無線送受信装置５０は、図１において説明した受信回路１００を含む。無線送受信装置５０は、出力端（ＩＦ）１と、増幅器２、５、７、８、１１、１３、１６、１９、２２及び２３と、ミキサ３、６、１２及び１５と、フィルタ４と、出力端（ＲＦ）９と、入力端（ＩＦ）１０と、可変フィルタ１４と、入力端（ＲＦ）１７と、ＶＣＯ１８、２０及び２１と、を備えている。出力端（ＩＦ）１及び増幅器２は、ＴＸ１ｓｔＩＦ領域を構成する。フィルタ４及び増幅器５は、ＴＸ２ｎｄＩＦ領域を構成する。増幅器７、８及び出力端（ＲＦ）９は、ＴＸＲＦ領域を構成する。入力端（ＩＦ）１０及び増幅器１１は、ＲＸ２ｎｄＩＦ領域を構成する。増幅器１３及び可変フィルタ１４は、ＲＸ１ｓｔＩＦ領域を構成する。増幅器１６及び入力端（ＲＦ）１７は、ＲＸＲＦ領域を構成する。
【００２１】
ＴＸ１ｓｔＩＦ領域は、無線送受信装置５０において用いられる固定値の中間周波数（以下、ＴＸ１ｓｔＩＦと称する）を有する信号を処理する領域である。ＴＸ２ｎｄＩＦ領域は、可変値である中間周波数（以下、ＴＸ２ｎｄＩＦと称する）を有する信号を処理する領域である。ＴＸＲＦ領域は、無線送受信装置５０から対向装置に対して送信する無線周波数（以下、ＴＸＲＦと称する）を有する信号を処理する領域である。ＲＸ２ｎｄＩＦ領域は、無線送受信装置５０において用いられる固定値の中間周波数（以下、ＲＸ２ｎｄＩＦと称する）を有する信号を処理する領域である。ＲＸ１ｓｔＩＦ領域は、可変値である中間周波数を有する信号を処理する領域である。ＲＸＲＦ領域は、対向装置から送信される信号であって、無線周波数（以下、ＲＸＲＦと称する）が設定された信号を処理する領域である。
【００２２】
ここで、ＴＸ１ｓｔＩＦと、ＲＸ２ｎｄＩＦとは、固定値として設定され、変更されない値とする。ＴＸＲＦとＲＸＲＦとは、対向装置との間において用いられる無線周波数の値に応じて変化する。もしくは、ＴＸＲＦとＲＸＲＦとのいずれか一方を固定値としてもよい。また、ＴＸＲＦとＲＸＲＦとの差をシフト周波数とする。ＴＸ２ｎｄＩＦと、ＲＸ１ｓｔＩＦとは、ＴＸＲＦとＲＸＲＦとの値に応じて変化する。
【００２３】
はじめに、送信処理に関連する構成について説明する。出力端（ＩＦ）１は、無線送受信装置５０内において信号処理され、周波数がＴＸ１ｓｔＩＦである信号を増幅器２へ出力する。増幅器２は、ＴＸ１ｓｔＩＦに対応した増幅器であり、出力端（ＩＦ）１から出力された信号を任意のレベルまで増幅する。
【００２４】
ＶＣＯ２０は、ＴＸ１ｓｔＩＦをＴＸ２ｎｄＩＦに変換するために用いられる参照信号を生成する。ＶＣＯ２０は、ＴＸ２ｎｄＩＦの値に応じて、参照信号に設定される周波数を変更する。ＶＣＯ２０は、生成した参照信号を増幅器２２へ出力する。増幅器２２は、出力された参照信号を増幅し、ミキサ３へ出力する。
【００２５】
ミキサ３は、増幅器２２から出力された参照信号を用いて、増幅器２から出力される信号の周波数をＴＸ１ｓｔＩＦからＴＸ２ｎｄＩＦへ変換する。ミキサ３は、周波数を変換した信号をフィルタ４へ出力する。参照信号の周波数をＦｒｅｆ１とすると、ＴＸ２ｎｄＩＦは、例えば次のように示される。
【００２６】
ＴＸ２ｎｄＩＦ＝Ｆｒｅｆ１−ＴＸ１ｓｔＩＦ・・・（式１）
【００２７】
また、図３には、ミキサ３における周波数変換の様子が示されている。希望波とは、ＴＸ２ｎｄＩＦであり、妨害波は、ＴＸ２ｎｄＩＦの周辺に存在する信号である。ミキサ３を用いることにより、希望波のみならず妨害波についても周波数変換される。妨害波は、干渉波とも称される。
【００２８】
フィルタ４は、例えばバンドパスフィルタ（ＢＰＦ）であり、ミキサ３から出力される信号を受け取り、ＴＸ２ｎｄＩＦの周波数帯を通過させる。これにより、ミキサ３から出力される信号において、ＴＸ２ｎｄＩＦの隣接チャネルなどの近傍の干渉波を除去することができる。増幅器５は、フィルタ４を通過した信号を増幅させる。この時、フィルタ４を通過した信号は、干渉波が除去されているため、増幅器５においては、ＴＸ２ｎｄＩＦの信号が主に増幅され、干渉波が大きく増幅されることはない。
【００２９】
ＶＣＯ１８は、ＴＸ２ｎｄＩＦをＴＸＲＦに変換するために用いられる参照信号を生成する。ＶＣＯ１８は、生成した参照信号を増幅器１９へ出力する。増幅器１９は、出力された参照信号を増幅し、ミキサ６へ出力する。
【００３０】
ミキサ６は、増幅器１９から出力された参照信号を用いて、増幅器５から出力される信号の周波数をＴＸ２ｎｄＩＦからＴＸＲＦへ変換する。ミキサ６は、周波数を変換した信号を増幅器７へ出力する。参照信号の周波数をＦｒｅｆ２とすると、ＴＸＲＦは、例えば次のように示される。
【００３１】
ＴＸＲＦ＝ＴＸ２ｎｄＩＦ＋Ｆｒｅｆ２・・・（式２）
【００３２】
増幅器７及び８は、ミキサ６から出力された信号を増幅する。出力端（ＲＦ）９は、増幅器８において増幅された信号を対向装置に対して無線通信を用いて送信する。
【００３３】
次に、受信処理に関連する構成について説明する。入力端（ＲＦ）１７は、対向装置から送信される信号を受信する。対向装置から送信される信号は、無線周波数が設定されており、設定されている無線周波数をＲＸＲＦとする。対向装置から送信される信号の無線周波数は、対向装置に応じて変化する。また、図２においては、出力端（ＲＦ）９から出力される信号の無線周波数は一定とする。これより、出力端（ＲＦ）９から出力される信号と、入力端（ＲＦ）１７に入力される信号とにおける周波数の差を示すシフト周波数は、入力端（ＲＦ）１７に入力される信号における周波数の変化に応じて変化する。入力端（ＲＦ）１７は、受信した信号を増幅器１６へ出力する。増幅器１６は、入力端（ＲＦ）１７から出力された信号を増幅し、ミキサ１５へ出力する。
【００３４】
ＶＣＯ１８は、ミキサ６及びミキサ１５において周波数変換を行うために、特定の周波数の参照信号を生成し、増幅器１９へ出力する。増幅器１９は、ＶＣＯ１８から出力された参照信号を増幅し、ミキサ１５へ出力する。ここで、出力端（ＲＦ）９から出力される信号の無線周波数は一定であるため、ＶＣＯ１８から出力される参照信号の周波数も特定もしくは一定の値とする。
【００３５】
ミキサ１５は、増幅器１９から出力された参照信号を用いて、増幅器１６から出力される信号の周波数をＲＸＲＦからＲＸ１ｓｔＩＦへ変換する。上述したように、シフト周波数が変化し、さらに、ＶＣＯ１８から出力される参照信号の周波数が固定されているため、ＲＸ１ｓｔＩＦは、入力端（ＲＦ）１７に入力される入力信号の無線周波数に応じて変化する。ミキサ１５は、周波数を変換した信号を可変フィルタ１４へ出力する。参照信号の周波数を、式２と同様にＦｒｅｆ２とすると、ＲＸ１ｓｔＩＦは、例えば次のように示される。
【００３６】
ＲＸ１ｓｔＩＦ＝ＲＸＲＦ−Ｆｒｅｆ２・・・（式３）
【００３７】
可変フィルタ１４は、例えば通過帯域を可変制御することができるバンドパスフィルタ（ＢＰＦ）であり、ミキサ１５から信号を受け取り、ＲＸ１ｓｔＩＦの周波数帯を通過させる。これにより、ミキサ１５から出力される信号において、ＲＸ１ｓｔＩＦの隣接チャネルなどの近傍の干渉を除去することができる。増幅器１３は、可変フィルタ１４を通過した信号を増幅させる。増幅器１３は、増幅した信号をミキサ１２へ出力する。
【００３８】
ＶＣＯ２１は、ミキサ１２において周波数変換を行うために参照信号を生成する。参照信号は、増幅器１３からミキサ１２に対して出力された信号のＲＸ１ｓｔＩＦをＲＸ２ｎｄＩＦに変換するために用いられる。ＲＸ２ｎｄＩＦは、装置内において予め定められた周波数である。つまり、ＲＸ２ｎｄＩＦは、固定値である。そのため、ＶＣＯ２１は、可変値であるＲＸ１ｓｔＩＦを、固定値であるＲＸ２ｎｄＩＦに変換するように、参照信号に設定される周波数を変更する。また、可変フィルタ１４は、ＶＣＯ２１における参照信号の周波数の変更制御に同期して、通過帯域の変更制御を行う。通過帯域の変更制御における具体的な例を後に詳述する。ＶＣＯ２１は、生成した参照信号を増幅器２３へ出力する。増幅器２３は、出力された参照信号を増幅し、ミキサ１２へ出力する。
【００３９】
ミキサ１２は、増幅器２３から出力された参照信号を用いて、増幅器１３から出力される信号の周波数をＲＸ１ｓｔＩＦからＲＸ２ｎｄＩＦへ変換する。ミキサ１２は、周波数を変換した信号を増幅器１１へ出力する。ＶＣＯ２１から出力される参照信号の周波数をＦｒｅｆ３とすると、ＲＸ２ｎｄＩＦは、例えば次のように示される。
【００４０】
ＲＸ２ｎｄＩＦ＝ＲＸ１ｓｔＩＦ−Ｆｒｅｆ３・・・（式４）
【００４１】
増幅器１１は、ミキサ１２から出力された信号を増幅し、入力端（ＩＦ）１０へ出力する。
【００４２】
続いて、図４を用いて、ＶＣＯ２１及び可変フィルタ１４を制御する回路構成例について説明する。ＶＣＯ２１は、位相比較器３１、ループフィルタ３２及び分周器３３を備えるＰＬＬ回路を用いて、出力周波数が制御される。位相比較器３１は、入力される信号の周波数と、基準信号の周波数との差分に応じた制御電圧を出力する。ループフィルタ３２は、位相比較器３１から出力される制御電圧に関する波形を平均化し、ＶＣＯ２１へ出力する。ＶＣＯ２１は、受け取った制御電圧の値に応じて定まる周波数の信号を増幅器２３へ出力する。また、ＶＣＯ２１から出力される信号は、分周器３３を介して、位相比較器３１へフィードバックされる。ここで、ＲＸＲＦの変化、つまり、シフト周波数の変化に応じて、位相比較器３１へ入力される信号の周波数を変化するように制御する。もしくは、中間周波数の変化に応じて、位相比較器３１へ入力される信号の周波数を変化するように制御してもよい。例えば、シフト周波数の値と、位相比較器３１へ入力される信号の周波数とを対応付けたテーブル等をメモリへ保持しておいてもよい。制御回路等（図示せず）において、シフト周波数の変化を検出し、メモリへ保持されているテーブルを参照して、位相比較器３１へ出力する信号の周波数を決定してもよい。
【００４３】
ここで、位相比較器３１は、シフト周波数の変化に応じて、出力する制御電圧を変化させる。ループフィルタ３２は、制御電圧をＶＣＯ２１へ出力するとともに、フィルタ制御回路３４へ出力する。フィルタ制御回路３４は、制御電圧に応じて、可変フィルタ１４を通過する帯域を変更させる。フィルタ制御回路３４は、例えば、制御電圧と可変フィルタ１４における通過帯域とを関連付けて管理してもよい。
【００４４】
このようにして、ループフィルタ３２から、ＶＣＯ２１及びフィルタ制御回路３４に対して制御電圧を出力することにより、ＶＣＯ２１における参照信号出力制御と、可変フィルタ１４における通過帯域変更制御とを同期させることができる。
【００４５】
続いて、図２の無線送受信装置５０における動作例について説明する。ＲＸＲＦを１ＧＨｚ、シフト周波数を１００ＭＨｚとすると、ＴＸＲＦは０．９ＧＨｚになる。また、Ｆｒｅｆ２を５００ＭＨｚとすると、ＲＸ１ｓｔＩＦは、５００ＭＨｚ、ＴＸ２ｎｄＩＦは、４００ＭＨｚとなる。ここで、ＴＸＲＦを変更せずに、シフト周波数を２００ＭＨｚとすると、ＲＸＲＦは、１．１ＧＨｚになる。ＴＸＲＦは変化しないため、Ｆｒｅｆ２も変化させない。これにより、ＲＸ１ｓｔＩＦは、１００ＭＨｚずれ、６００ＭＨｚとなる。また、ＲＸ２ｎｄＩＦは、装置内において予め定められている。そのため、Ｆｒｅｆ３は、１００ＭＨｚ変化し、ミキサ１２は、ＲＸ１ｓｔＩＦをＲＸ２ｎｄＩＦへ変化させる。
【００４６】
Ｆｒｅｆ３は、ＰＬＬ回路を用いて制御され、ＶＣＯ２１に印加される電圧に応じて定まる。また、可変フィルタ１４もＶＣＯ２１と同様に、フィルタ制御回路３４及び可変フィルタ１４に印加される電圧に応じて通過帯域が定まる。ＶＣＯ２１及びフィルタ制御回路３４等に印加される電圧は、シフト周波数もしくはミキサ１５から出力される信号の中間周波数の値に応じて定まる。
【００４７】
続いて、図５を用いて本発明の実施の形態１にかかる受信回路の信号処理の流れについて説明する。はじめに、ミキサ１５は、入力端（ＲＦ）１７を介して受信した入力信号のＲＸＲＦをＲＸ１ｓｔＩＦへ変換する（Ｓ１１）。次に、受信回路１００における制御回路は、シフト周波数が変化したか否かを判定する（Ｓ１２）。制御回路は、シフト周波数が変化していないと判定した場合、ステップＳ１５の処理を実行する。制御回路は、シフト周波数が変化していると判定した場合、位相比較器３１へ出力する信号の周波数を変化させることにより制御電圧の値を変更させ、フィルタ制御回路３４は、可変フィルタ１４の通過帯域を変更する（Ｓ１３）。
【００４８】
次に、ＶＣＯ２１は、増幅器２３を介してミキサ１２へ出力する参照信号のＦｒｅｆ３の値を変更する（Ｓ１４）。Ｆｒｅｆ３は、ＲＸ１ｓｔＩＦが、固定値のＲＸ２ｎｄＩＦへ変換されるように変更される。次に、ミキサ１２は、入力信号のＲＸ１ｓｔＩＦを、増幅器２３から出力される参照信号を用いて、ＲＸ２ｎｄＩＦへ変換する（Ｓ１５）。
【００４９】
以上説明したように、本発明の実施の形態１にかかる受信回路を用いることにより、ＶＣＯ２１から出力される参照信号のＦｒｅｆ３の変更制御と、可変フィルタ１４における通過帯域の変更制御とを同期することができる。これにより、ＲＸＲＦの変化に基づいてシフト周波数が変化した場合においても、可変フィルタ１４において所定のＲＸ１ｓｔＩＦを通過させることができ、さらに、ミキサ１２において、ＲＸ１ｓｔＩＦを固定値であるＲＸ２ｎｄＩＦへ変更させることができる。
【００５０】
（実施の形態２）
続いて、図６を用いて本発明の実施の形態２にかかる無線送受信装置１１０の構成例について説明する。なお、図６における無線送受信装置１１０は、図２の無線送受信装置５０と比較して、ＴＸ２ｎｄＩＦ領域に可変フィルタ１１４を配置し、ＲＸ１ｓｔＩＦ領域にフィルタ１２４を配置している点が異なる。また、ＶＣＯ１３０から出力する信号に応じて、ミキサ１１３と、可変フィルタ１１４とを同期して制御する点も異なる。さらに、ＶＣＯ１３０及び可変フィルタ１１４は、図４と同様の構成を有する。図６の無線送受信装置１１０のその他の構成である出力端（ＩＦ）１１１、出力端（ＲＦ）１１９、入力端（ＩＦ）１２０及び入力端（ＲＦ）１２７と、増幅器１１２、１１５、１１７、１１８、１２１、１２３、１２６、１２８、１３２及び１３３と、ミキサ１１６、１２２及び１２５と、ＶＣＯ１２８及び１３１とについては、図２の無線送受信装置５０と同様であるため、詳細な説明は省略する。
【００５１】
ＶＣＯ１３０は、ミキサ１１３において周波数変換を行うために参照信号を生成する。参照信号は、増幅器１１２からミキサ１１３に対して出力された信号のＴＸ１ｓｔＩＦをＴＸ２ｎｄＩＦに変換するために用いられる。ＴＸ１ｓｔＩＦは、装置内において予め定められた周波数である。つまり、ＴＸ１ｓｔＩＦは、固定値である。また、図６の無線送受信装置においては、入力端（ＲＦ）１２７に入力される信号の無線周波数ＲＸＲＦを一定の固定値とする。これより、ＶＣＯ１２８から出力される参照信号の周波数も特定の値となる。出力端（ＲＦ）１１９から出力される信号の無線周波数ＴＸＲＦは可変であるとすると、ＴＸ２ｎｄＩＦは、ＴＸＲＦの値に応じて変化する値となる。ＴＸ２ｎｄＩＦは、上述した式１を用いて算出される。
【００５２】
次に、図６の無線送受信装置１１０における動作例について説明する。ＲＸＲＦを１ＧＨｚ、シフト周波数を１００ＭＨｚとすると、ＴＸＲＦは０．９ＧＨｚになる。また、Ｆｒｅｆ２を５００ＭＨｚとすると、ＲＸ１ｓｔＩＦは、５００ＭＨｚ、ＴＸ２ｎｄＩＦは、４００ＭＨｚとなる。ここで、ＲＸＲＦは変更せずに、シフト周波数を２００ＭＨｚとすると、ＴＸＲＦは、０．８ＧＨｚになる。ＲＸＲＦは変化しないため、Ｆｒｅｆ２も変化させない。これにより、ＴＸ２ｎｄＩＦは、１００ＭＨｚずれ、３００ＭＨｚとなる。また、ＴＸ１ｓｔＩＦは、装置内において予め定められている。そのため、ＶＣＯ１３０から出力される参照信号の周波数Ｆｒｅｆ１は、１００ＭＨｚ変化し、ミキサ１１３は、Ｔｘ１ｓｔＩＦをＴＸ２ｎｄＩＦへ変化させる。
【００５３】
Ｆｒｅｆ１は、図２のＶＣＯ２１と同様に、ＰＬＬ回路を用いて制御され、ＶＣＯ１３０に印加される電圧に応じて定まる。また、可変フィルタ１１４もＶＣＯ１３０と同様に、可変フィルタ１１４に印加される電圧に応じて通過帯域が定まる。
【００５４】
以上説明したように、本発明の実施の形態２にかかる無線送受信装置１１０を用いることにより、ＶＣＯ１３０から出力される参照信号のＦｒｅｆ１の変更制御と、可変フィルタ１１４における通過帯域の変更制御とを同期することができる。これにより、ＴＸＲＦの変化に基づいてシフト周波数が変化した場合においても、可変フィルタ１１４において所定のＴＸ２ｎｄＩＦを通過させることができる。
【００５５】
なお、本発明は上記実施の形態に限られたものではなく、趣旨を逸脱しない範囲で適宜変更することが可能である。例えば、可変フィルタ１４及び１１４を、図７のように、複数のＢＰＦを用いて構成してもよい。通過帯域の異なる複数のＢＰＦを並列に配置し、それぞれのＢＰＦを、スイッチ１５１及び１５３を用いて切り替え、任意のＢＰＦを選択するようにしてもよい。
【符号の説明】
【００５６】
１、１１１  出力端（ＩＦ）
２、５、７、８、１１、１３、１６、１９、２２、２３、１１２、１１５、１１７、１１８、１２１、１２３、１２６  増幅器
３、６、１２、１５、１１３、１１６、１２２、１２５  ミキサ
４、１２４  フィルタ
９、１１９  出力端（ＲＦ）
１０、１２０  入力端（ＩＦ）
１４、１１４  可変フィルタ
１７、１２７  入力端（ＲＦ）
１８、２０、２１、１２８、１３０、１３１  ＶＣＯ
３１  位相比較器
３２  ループフィルタ
３３  分周器
３４  フィルタ制御回路
５０  無線送受信装置
６０  ミキサ
７０  可変フィルタ
１００  受信回路
１５１、１５３  スイッチ
１５２  ＢＰＦ
【図１】
2012249136.tif 000003
【図２】
2012249136.tif 000004
【図３】
2012249136.tif 000005
【図４】
2012249136.tif 000006
【図５】
2012249136.tif 000007
【図６】
2012249136.tif 000008
【図７】
2012249136.tif 000009